(57)【特許請求の範囲】
【請求項１】
複数の錠剤投入孔を有する錠剤投薬容器と、錠剤投薬容器の下方に配置されて側方に平行移動する錠剤払出容器と、錠剤払出容器から供給される錠剤を包装装置のホッパへと導くシュートとからなる錠剤供給装置において、
前記錠剤投薬容器の上面に、板体からなる蓋体を蝶着し、その蝶着部近傍の錠剤投入孔と対応した位置に、一方向に並ぶ複数の突起片からなり処方箋を保持する保持部材を設けたことを特徴とする錠剤供給装置における蓋体。
【請求項２】
前記蓋体と錠剤投薬容器との閉塞を保持する吸着部材を設けたことを特徴とする請求項１に記載の錠剤供給装置における蓋体。
【請求項３】
前記蓋体の上面に処方箋を立てかけるガイドを収納可能に設けたことを特徴とする請求項１または請求項２に記載の錠剤供給装置における蓋体。
【発明の詳細な説明】
【０００１】
【産業の利用分野】
本発明は、処方された錠剤等の薬剤を１服用毎に手撒きした後、１包毎に包装する錠剤供給装置における蓋体に関するものである。
【０００２】
【従来の技術】
従来、錠剤供給装置は、薬剤包装機内に組み込まれており、薬剤包装機は散薬供給装置と、錠剤供給装置とを有しており、各供給装置から定量供給される薬剤をその下方に設けられたホッパで受け、このホッパの下部出口から間欠的に連続して排出される薬剤を包装装置によって包装するようにしている。
【０００３】
図１は従来から知られている薬剤包装機を示す。図１及び図３に示す薬剤包装機においては、散薬供給装置１０の後方に錠剤供給装置２０が設けられ、散薬供給装置１０は、散薬供給容器１１内に秤量された散薬を投入し、その上面を均一にならしたのち、散薬供給容器１１の開閉板１２を開放し、下方に落下する散薬を散薬分割容器１３で受けるようにしている。
【０００４】
散薬分割容器１３は複数の散薬収容部１４を連設した構成とされ、散薬供給容器１１から落下する散薬は、散薬収容部１４と同数に容量分割される。
【０００５】
散薬分割容器１３が散薬を受けると、その散薬分割容器１３は散薬収容部１４の配列方向にピッチ送りされ、各散薬収容部１４が定位置まで移送されると、その下部開口を閉じる蓋１５が開放され、散薬が下方のホッパ１６内に落下排出される。
【０００６】
一方、錠剤供給装置２０は、錠剤投薬容器２１を有する。この錠剤投薬容器２１は一方向に等間隔に並ぶ錠剤投入孔２３を複列に設けた構成とされ、その錠剤投入孔２３に１服用分の錠剤を投入すると、錠剤投薬容器２１の下方に設けたシャッタ２４が開放して各錠剤投入孔２３内の錠剤をその下方で待機する錠剤払出容器２２内に同時に落下させるようにしている。
【０００７】
錠剤払出容器２２は、多数の錠剤払出孔２５を錠剤投薬容器２１に形成された錠剤投入孔２３と同様の配列でもって形成しており、錠剤投薬容器２１から排出される錠剤が錠剤払出容器２２で受けられると、その錠剤払出容器２２は散薬分割容器１３と同方向にピッチ送りされ、その移動時に、各錠剤払出孔２５の下方の蓋２６を先行側の一列目の蓋２６から順に一つずつ開放させて下方のシュート２７上に錠剤を落下させ、そのシュート２７からホッパ１６に錠剤を移動させるようにしている。
【０００８】
なお、ホッパ１６内に供給され、下端の出口から排出される散薬や錠剤は、分包装置５０によって１服用分毎に包装される。
【０００９】
上記のような薬剤包装機においては、散薬供給容器１１、散薬分割容器１３に散薬が付着により残っていると、次の異種の散薬を包装する場合に混るおそれが生じるため、薬剤の包装後に掃除するようにしている。
【００１０】
掃除やメンテナンスの容易化を図るため、図１および図８に示す薬剤包装機においては、包装機本体１上にカバーパネル４を軸４ａを中心として開閉自在に設け、そのカバーパネル４によって散薬供給容器１１、錠剤投薬容器２１、錠剤払出容器２２および操作パネルを支持し、そのカバーパネル４上に上部カバー７を開閉自在に取付け、上記上部カバー７、およびカバーパネル４の開放によって薬剤包装機の掃除とメンテナンスとを行なうようにしている。
【００１１】
又、その他の薬剤包装機として、プーリーに掛け渡されたベルトに錠剤払出容器が支持され、この錠剤払出容器と向かい合うように錠剤投薬容器を設けた構成として、例えば特開平７−６１４０２に開示されており、このような装置でも本発明と同様の課題が生じる。
【００１２】
【発明が解決しようとする課題】
上記のような各種の薬剤包装機には以下のような問題点があった。
【００１３】
錠剤供給装置２０の錠剤投入孔２３に、塵や埃等が混入し非衛生的であった、さらに、包装機に散薬を供給する際、大気中に舞った散薬が混入する恐れがあった、さらに、ごくまれに、錠剤投入孔２３内に混入したクリップやボールペンのキャップ等が錠剤投薬容器内に落下してしまい、そのため、異物に気付かず包装してしまうことがあり非常に危険であった。
【００１４】
上記問題は、錠剤供給装置２０の上に布きれを被せたり、板状の蓋を置くことによって解決されるが、包装機のカバーパネル４を開閉する際、一々、蓋を外し再び戻すのが非常にわずらわしかった。外した蓋は衛生上から床などに置けないため、蓋を置くためスペースを確保する必要があった。
【００１５】
又、錠剤を包装するため、処方箋に従って錠剤供給装置２０に錠剤を投入する際、片手が処方箋でふさがるため非常に作業性が悪く、それを解消するために、薬剤包装機本体の傍らに処方箋を置きながらの錠剤投入作業は、錠剤投入孔２３と処方箋を交互に見なければならず視認性が悪く誤薬の恐れがあった。
【００１６】
【課題を解決するための手段】
前記課題を解決するために、複数の錠剤投入孔を有する錠剤投薬容器と、錠剤投薬容器の下方に配置されて側方に平行移動する錠剤払出容器と、錠剤払出容器から供給される錠剤を包装装置のホッパへと導くシュートとからなる錠剤供給装置において、前記錠剤投薬容器の上面に、板体からなる蓋体を蝶着し、その蝶着部近傍の錠剤投入孔と対応した位置に、一方向に並ぶ複数の突起片からなり処方箋を保持する保持部材を設けた構成としている。
【００１７】
前記構成からなる発明では、錠剤投薬容器の上面に蓋体を蝶着し、蓋体に保持部材を設けたので、錠剤投薬容器への異物の混入が防止できるともに、蓋体裏面の保持部材に処方箋を立てかけて、処方箋の内容に従って作業する事が可能となる。
【００１８】
前記蓋体と錠剤投薬容器との閉塞を保持する吸着部材を設けるのが好ましく、これにより、包装機のカバーパネルの解放時に蓋体が開くのを防止することができる。
【００１９】
又、蓋体の上面に処方箋を立てかけるガイドを収納可能に設けるのが好ましく、これにより、長手方向に立てかけられた蓋体より大きな処方箋を折り曲げずに保持することができる。
【００２０】
【実施の形態】
以下、本発明の実施の形態を添付図面に従って説明する。なお、その際、従来例で述べた部材については、同一符号を付して詳しい説明は省略する。
【００２１】
錠剤供給装置２０の上にかぶせられた、蓋体５１はアクリル樹脂で形成されており長方形の板体で、図４に示すように、一端を支軸５１ｂにより錠剤投薬容器２１に蝶着されている。
【００２２】
蓋体５１は閉塞時に図５、図６に示すように錠剤投入孔２３を覆い隠し、開放時は図４、図７に示すように、支軸５１ｂの上側に設けられた、あたりが錠剤投薬容器２１の上面と接触し、所定角度（本実施例では１２０度）で止まるよう位置決めされている。
【００２３】
蓋体５１下面の蝶着部近傍には保持部材５１ｃが設けられており、これは図６に示すように、蓋体５１の開放時に蓋体に置がれた処方箋Ａを保持するためのものであり、保持部材５１ｃは図４に示すように、一方向に等間隔に並ぶ突起片によって形成され、この突起片は蓋体５１の閉塞時に錠剤投薬容器２１と干渉しないよう錠剤投入孔２３と、対応した位置に設けられている。
【００２４】
吸着部材は蓋体５１の下面に粘着された一対の鉄片５１ａと、錠剤投薬容器２１の上面に設けられた磁性体２１ａによって構成され、図４に示すように、鉄片５１ａと磁性体２１ａはそれぞれ対応する位置に設けられており、閉塞時にそれぞれ吸着する。
【００２５】
このため、図２に示すように、カバーパネル４を開放しても、蓋体５１は閉塞状態を保持することが可能となる。
【００２６】
尚、吸着部材の鉄片５１ａと磁性体２１ａの位置関係は逆にしてもよく、又、吸着部材はボールキャッチや係り止め式のロック機構を採用しても良い。
【００２７】
蓋体５１の上面には図５に示すようにガイド受け５２が粘着されており、ガイド受け５２の前面部の所定位置には切欠５２ｃが設けられ、蓋体５１を開放する際に、この切欠５２ｃに指をかけて蓋体５１を開放する。
【００２８】
ガイド受け５２の両側面には、図１０に示すような切欠加工がそれぞれ施されており、切欠落とし面５２ａの略中央にガイド５３を挿入すべく、丸穴５２ｂが設けられている。（図９参照）
【００２９】
ガイド５３は略コの字型の針金で形成されており図９に示すように、ガイド受け５２を両側から挟み込むように、丸穴５２ｂにガイド５３の両端を差し込んで取り付けられている。
【００３０】
図８、図９は図５に示すＡ方向（正面）からガイド受け５２及びガイド５３を見た図であり、図８に示す収納位置のガイド５３を手前側に起立させると、ガイド受け５２両端の切欠加工により、図９に示すように、ガイド５３が押し広げられ、さらに回転させると手前側の切欠落とし面５２ａにはまり込んで、使用位置に位置決めされる。
【００３１】
このように、ガイド５３は収納位置と使用位置の位置決めさた２点間（本実施例では１８０度）を回動可能にそれぞれの点で保持できる構造を有する。
【００３２】
本発明は以上のような構成であり、図４に示すように、蓋体５１を開放状態にし、大きな処方箋を立てかける際は、必要に応じてガイド５３を収納位置から使用位置に回転させ蓋体５１の裏面の保持部材に処方箋を立てかけて、処方箋の内容に従って作業する。
【００３３】
作業が終われば、再びガイド５３を収納し蓋体５１を閉塞する。
【００３４】
尚、ガイド５３は回動方式によって収納される例をあげたがこれに限らず、ガイド５３をスライドさせて収納する方式や、着脱方式を採用してもよい。
【００３５】
【効果】
以上の説明から明らかなように、本発明によれば、錠剤投薬容器に開閉可能に蝶着された蓋体を設けたため、異物の混入を防止でき、さらに、カバーパネル開放時も、蓋体を落下させることなく閉塞状態を保持することができる。又、開放した蓋体に置かれた処方箋を見ながら、錠剤の投薬作業を行うことができるため、作業者の負担を軽減させ、かつ誤薬を防止する等の優れた効果を有する。
【図面の簡単な説明】
【図１】従来の薬剤包装機の斜視図である。
【図２】カバーパネルの開放状態を示す側面図である。
【図３】従来の薬剤包装機の側面断面図である。
【図４】本発明に係る蓋体開放時の斜視図である。
【図５】本発明に係る蓋体閉塞時の斜視図である。
【図６】本発明に係る蓋体の部分側面図である。
【図７】本発明に係る蓋体の部分側面図である。
【図８】本発明に係る蓋体の部分正面図である。
【図９】本発明に係る蓋体の部分正面図である。
【図１０】本発明に係る蓋体の部分斜視図である。
【符号の説明】
１ 包装機本体
４ カバーパネル
４ａ 軸
２０ 錠剤供給装置
２１ 錠剤投薬容器
２１ａ 磁性体
２３ 錠剤投入孔
５１ 蓋体
５１ａ 鉄片
５１ｂ 支軸
５１ｃ 保持部材
５２ ガイド受け
５２ａ 切欠落とし面
５２ｂ 丸穴
５２ｃ 切欠
５３ ガイド
【図１】
0003594475.tif 000002
【図２】
0003594475.tif 000003
【図３】
0003594475.tif 000004
【図４】
0003594475.tif 000005
【図５】
0003594475.tif 000006
【図６】
0003594475.tif 000007
【図７】
0003594475.tif 000008
【図８】
0003594475.tif 000009
【図９】
0003594475.tif 000010
【図１０】
0003594475.tif 000011